(57)【要約】  ベンチ、フェンス、木道等、屋外に設置される屋外構造物が、１つ以上の矩形状の貫通孔を有し、少なくとも第１の方向に１列に並ぶ金属製の複数の支柱と、複数の支柱の貫通孔に架け渡される木製の板材と、を備え、貫通孔の第１の方向の断面が、略中央部において狭く、外側に向かって拡がるテーパー部を有する。
2020040064.tif 000002
【特許請求の範囲】
【請求項１】
１つ以上の矩形状の貫通孔を有し、少なくとも第１の方向に１列に並ぶ金属製の複数の支柱と、
前記複数の支柱の前記貫通孔に架け渡される木製の板材と、
を備え、
前記貫通孔の前記第１の方向の断面が、略中央部において狭く、外側に向かって拡がるテーパー部を有する
ことを特徴とする屋外構造物。
【請求項２】
前記各支柱は、前記貫通孔の一辺に沿って、前記第１の方向及び前記第１の方向と相反する方向に突出するように形成されたフランジ部を有し、
前記板材が、前記フランジ部に挿通される固定部材によって固定される
ことを特徴とする請求項１に記載の屋外構造物。
【請求項３】
前記テーパー部の角度が、３〜４５°であることを特徴とする請求項１又は請求項２に記載の屋外構造物。
【請求項４】
前記各支柱に所定のデザインが施されていることを特徴とする請求項１から請求項３のいずれか一項に記載の屋外構造物。
【請求項５】
前記各支柱は、略Ｌ字状に連なって配置される複数の前記貫通孔を有し、
前記各貫通孔に対応して複数の前記板材が架け渡され、
前記屋外構造物は、前記複数の板材によって座面及び背もたれ部を形成するベンチである
ことを特徴とする請求項１から請求項４のいずれか一項に記載の屋外構造物。
【請求項６】
前記各支柱は、鉛直方向に所定の間隔をおいて配置される複数の前記貫通孔を有し、
前記各貫通孔に対応して複数の前記板材が架け渡され、
前記屋外構造物は、前記複数の板材によって横板部を形成するフェンスである
ことを特徴とする請求項１から請求項４のいずれか一項に記載の屋外構造物。
【請求項７】
前記複数の支柱は、前記第１の方向に沿ってＮ個（Ｎは２以上の整数）、前記第１の方向と直交する第２の方向にＭ列（Ｍは２以上の整数）に並び、
前記板材は、前記第１の方向に沿って並ぶ、前記Ｎ個の支柱の前記貫通孔に架け渡されるＭ本の大引きであり、
前記屋外構造物は、
前記Ｍ本の大引き間に架け渡される木製の複数の根太と、
前記複数の根太の上に架け渡される木製の複数のデッキ材と、
をさらに備える、デッキ又は木道である
ことを特徴とする請求項１から請求項４のいずれか一項に記載の屋外構造物。
【発明の詳細な説明】
【技術分野】
【０００１】
本発明は、ベンチ、フェンス、木道等、屋外に設置される屋外構造物に関し、特に、金属製のフレームと木製の板材とを組み合わせて構成された屋外構造物に関する。
【背景技術】
【０００２】
従来、公園や広場等の屋外に、ベンチ、フェンス、木道等の屋外構造物が設置されている。このような屋外構造物は、例えば、金属製のフレーム（脚部、支柱等）と木製の板材とを組み合わせて構成されており、金属製の複数のフレームが、地中に構築された基礎にアンカーボルトなどで固定され、木製の板材がフレーム間に架け渡される。【０００３】
例えば、特許文献１には、金属製の鋳物で一体形成された脚部（フレーム）と、板材を脚部間に架け渡して形成された座部及び背もたれ部と、から構成されるベンチが記載されている。
【先行技術文献】
【特許文献】
【０００４】
【特許文献１】特開２０１８−０２９６４０号公報
【発明の概要】
【発明が解決しようとする課題】
【０００５】
特許文献１のベンチは、座部及び背もたれ部を有し、ベンチとして最低限の機能を有するものとなっている。しかしながら、例えば、子供が集まる公園や広場等に設置されるベンチの場合、ベンチとしての機能に加え、より意匠性の高いものが要求される。【０００６】
また、特許文献１のベンチは、板材の両端を脚部で支持する構成であるが、より長いベンチにしようとすると、板材の強度を増したり、板材の撓みを防止するために、両端の脚部の間に中間脚部を設ける必要もある。また、この場合、中間脚部は、両端の脚部とは異なる形状となるため、別途金型が必要となり、大幅にコストアップしてしまうといった問題も発生する。【０００７】
本発明は、上記の事情に鑑みてなされたものであり、大きさや長さの変更等、設計変更が容易で、かつデザインの自由度が高い屋外構造物を提供することを目的とする。
【課題を解決するための手段】
【０００８】
上記目的を達成するため、本発明の屋外構造物は、１つ以上の矩形状の貫通孔を有し、少なくとも第１の方向に１列に並ぶ金属製の複数の支柱と、複数の支柱の貫通孔に架け渡される木製の板材と、を備え、貫通孔の第１の方向の断面が、略中央部において狭く、外側に向かって拡がるテーパー部を有することを特徴とする。【０００９】
このような構成によれば、板材が支柱の貫通孔によって支持されるため、貫通孔の位置を大幅に変更しない範囲で、支柱に様々なデザインを施すことが可能となる。また、一種類の支柱のみ製造すればよく、また支柱の数を変更したり、板材の長さを変更することによって必要に応じた長さの屋外構造物を構築することができる。また、貫通孔にテーパー部が設けられているため、この部分の板材に雨水等が染み込んだとしても乾きやすく、腐りにくい屋外構造物を得ることができる。【００１０】
また、各支柱は、貫通孔の一辺に沿って、第１の方向及び第１の方向と相反する方向に突出するように形成されたフランジ部を有し、板材が、フランジ部に挿通される固定部材によって固定されるように構成することができる。【００１１】
また、テーパー部の角度が、３〜４５°であることが望ましい。【００１２】
また、各支柱に所定のデザインが施されていることが望ましい。【００１３】
また、各支柱は、略Ｌ字状に連なって配置される複数の貫通孔を有し、各貫通孔に対応して複数の板材が架け渡され、屋外構造物は、複数の板材によって座面及び背もたれ部を形成するベンチであることが望ましい。【００１４】
また、各支柱は、鉛直方向に所定の間隔をおいて配置される複数の貫通孔を有し、各貫通孔に対応して複数の板材が架け渡され、屋外構造物は、複数の板材によって横板部を形成するフェンスであることが望ましい。【００１５】
また、複数の支柱は、第１の方向に沿ってＮ個（Ｎは２以上の整数）、第１の方向と直交する第２の方向にＭ列（Ｍは２以上の整数）に並び、板材は、第１の方向に沿って並ぶ、Ｎ個の支柱の貫通孔に架け渡されるＭ本の大引きであり、屋外構造物は、Ｍ本の大引き間に架け渡される木製の複数の根太と、複数の根太の上に架け渡される木製の複数のデッキ材と、をさらに備える、デッキ又は木道であることが望ましい。
【発明の効果】
【００１６】
以上のように、本発明によれば、大きさや長さの変更等、設計変更が容易で、かつデザインの自由度が高い屋外構造物が実現される。
【図面の簡単な説明】
【００１７】
【図１】図１は、本発明の第１の実施形態に係るベンチ（屋外構造物）の構成を示す斜視図である。
【図２】図２は、本発明の第１の実施形態に係るベンチのフレームの構成を示す図である。
【図３】図３は、本発明の第１の実施形態に係るベンチのフレームに形成された複数の貫通穴と板材との位置関係を説明する図である。
【図４】図４は、本発明の第２の実施形態に係るフェンス（屋外構造物）の構成を示す図である。
【図５】図５は、本発明の第２の実施形態に係るフェンスの支柱に形成された複数の貫通穴と板材との位置関係を説明する図である。
【図６】図６は、本発明の第３の実施形態に係るデッキ（屋外構造物）の構成を示す斜視図である。
【図７】図７は、本発明の第３の実施形態に係るデッキの支柱に形成された複数の貫通穴と大引きとの位置関係を説明する図である。
【発明を実施するための形態】
【００１８】
以下、本発明の実施の形態について図面を参照して詳細に説明する。但し、この実施形態に記載される構成要素、種類、組み合わせ、材質、形状、その相対配置などは特定的な記載がない限り、この発明の範囲をそれのみに限定する主旨ではなく単なる説明例に過ぎない。なお、図中同一又は相当部分には同一の符号を付してその説明は繰り返さない。
【００１９】
（第１の実施形態）
図１は、本発明の第１の実施形態に係るベンチ１（屋外構造物）の構成を示す斜視図である。図１に示すように、本実施形態のベンチ１は、公園や広場等の屋外に設置されるもので、恐竜を模した３つのフレーム１０（支柱）と、フレーム１０間に形成された座面２０及び背もたれ部３０と、から構成されている。本実施形態においては、座面２０及び背もたれ部３０は、１２本の木製の板材Ｗ（例えば、長さ：１８００ｍｍ、幅：５５ｍｍ、厚さ：３４ｍｍ）をフレーム１０間に架け渡すことによって形成されている。
【００２０】
図２は、フレーム１０の構成を示す図であり、図２（ａ）は、右側面図であり、図２（ｂ）は、正面図である。フレーム１０は、金属製の鋳物で一体形成された板状の部材であり、地中に構築された基礎（図示せず）にアンカーボルトなどで固定されるベース１２と、ベース１２に立設された脚部１３、１４と、脚部１３、１４の上方に位置する本体部１５と、本体部１５から斜め上方（図２（ａ）において、右斜め上方）に延出する延出部１６と、本体部１５と延出部１６に形成された矩形状の１２個の貫通孔１７ａ〜１７ｌと、貫通孔１７ａ〜１７ｌの一辺に沿うように、フレーム１０の両側（図２（ｂ）において、左右両側）に突出するフランジ部１８と、フランジ部１８の貫通孔１７ａ〜１７ｌに対応する位置に形成された凹部１９ａ〜１９ｌ等を備えて構成されている。なお、図２に示すように、本実施形態のフレーム１０には、恐竜を模したデザインが施されており、本体部１５は恐竜の胴体に相当し、延出部１６は恐竜の首に相当し、脚部１３、１４は、恐竜の足に相当し、貫通孔１７ａ〜１７ｌは恐竜の背骨に沿うように略Ｌ字状（図２（ａ）においては逆Ｌ字状）に連なって配置されている。
【００２１】
貫通孔１７ａ〜１７ｅは、背もたれ部３０の板材Ｗが通る孔であり、貫通孔１７ａ〜１７ｅに板材Ｗが挿通され、各板材Ｗが凹部１９ａ〜１９ｅの位置に取り付けられる木ビス（不図示）によって固定されるようになっている。
【００２２】
貫通孔１７ｆ〜１７ｌは、座面２０の板材Ｗが通る孔であり、貫通孔１７ｆ〜１７ｌに板材Ｗが挿通され、各板材Ｗが凹部１９ｆ〜１９ｌの位置に取り付けられる木ビス（不図示）によって固定されるようになっている。
【００２３】
図３は、貫通孔１７ａ〜１７ｌと板材Ｗとの位置関係を説明する貫通孔１７ａ〜１７ｌ周辺の断面図である。上述したように、本実施形態の各板材Ｗは、３つのフレーム１０の貫通孔１７ａ〜１７ｌに挿通され、フランジ部１８の凹部１９ａ〜１９ｌに取り付けられる木ビス（不図示）によって固定されるが、各貫通孔１７ａ〜１７ｌの断面形状を、各板材Ｗの断面形状と略等しくすると、各板材Ｗを貫通孔１７ａ〜１７ｌに挿通するときの接触面積が大きくなるため、貫通孔１７ａ〜１７ｌを通すのが困難になるといった問題がある。また、各板材Ｗと貫通孔１７ａ〜１７ｌとの隙間が少ないと、この部分の板材Ｗに雨水等が染み込んだときに、乾燥しにくく、板材Ｗが腐り易くなるといった問題も発生する。そこで、かかる問題を解決するため、本実施形態においては、各貫通孔１７ａ〜１７ｌの内部に、３〜４５°の角度のテーパー部Ｔを設け、各貫通孔１７ａ〜１７ｌの断面が、略中央部（内側）において狭く、外側に向かって拡がるように構成している。つまり、このような構成によれば、各板材Ｗを貫通孔１７ａ〜１７ｌに挿通するときの接触面積が小さくなるため、各板材Ｗを貫通孔１７ａ〜１７ｌに通し易くなる（つまり、組み立て作業が容易になる）。また、各貫通孔１７ａ〜１７ｌが外側に向かって拡がっているため、通気性がよく、この部分の板材Ｗに雨水等が染み込んだとしても、板材Ｗが腐りにくい。
【００２４】
このように、本実施形態のベンチ１においては、３つのフレーム１０の貫通孔１７ａ〜１７ｌに座面２０及び背もたれ部３０の板材Ｗを挿通して固定することで、各板材Ｗを３つのフレーム１０間に架け渡している。このような構成によれば、一種類のフレーム１０のみ製造すればよいため、金型の製造費用を大幅に抑えることができる。また、フレーム１０の数を増やすことにより、より長尺の板材Ｗを使用することができ、様々な長さのベンチ１を製造することが可能となる（つまり、設計変更が容易となる）。また、フレーム１０は、両側に突出するフランジ部１８を備えているため、フレーム１０を間に挟んで２つの板材Ｗを中継することができるため、板材Ｗを長手方向に継ぎ足して、様々な長さのベンチ１を製造することも可能となる。また、本実施形態のベンチ１においては、座面２０及び背もたれ部３０の板材Ｗを、貫通孔１７ａ〜１７ｌで支持する構成としているため、貫通孔１７ａ〜１７ｌの位置を大幅に変更しない範囲で、本体部１５と延出部１６に様々なデザイン（例えば、恐竜のデザインに代えて、キリンや象などのデザイン）を施すことが可能である（つまり、デザインの自由度が高い）。
【００２５】
以上が本発明の実施の形態、及び実施例の説明であるが、本発明は、上記の構成に限定されるものではなく、本発明の技術的思想の範囲内において様々な変形が可能である。
【００２６】
例えば、本実施形態においては、座面２０及び背もたれ部３０に、１２本の木製の板材Ｗを用いる構成としたが、このような構成に限定されるものではなく、板材Ｗの数量やサイズは強度等を考慮して適宜変更することが可能である。また、板材Ｗとして、防腐処理を施した木材を使用することもできる。
【００２７】
（第２の実施形態）
図４は、本発明の第２の実施形態に係るフェンス２（屋外構造物）の構成を示す図であり、図４（ａ）は平面図（上面図）であり、図４（ｂ）は正面図であり、図４（ｃ）は左側面図である。図４に示すように、本実施形態のフェンス２は、所定の間隔をおいて１列に設置された複数の支柱５０と、支柱５０間に架設された横板部６０と、から構成されている。本実施形態においては、横板部６０は、木製の板材Ｗ（例えば、長さ：１８００ｍｍ、幅：９９ｍｍ、厚さ：３４ｍｍ）を支柱５０間に架け渡すことによって形成されている。
【００２８】
支柱５０は、金属製の鋳物で形成された、例えば、長さ：１６００ｍｍ、幅：６０ｍｍ、厚さ：３５ｍｍの柱状の部材であり、支柱５０の下端部（例えば、４５０ｍｍ）は、地中に構築された基礎Ｂに固定され、先端部側（例えば、１１５０ｍｍ）は地上に露出している。そして、支柱５０の先端部側（つまり、地上に露出している部分）には、鉛直方向に所定の間隔（例えば、３５０ｍｍ）をおいて、上下に長い矩形状の３個の貫通孔５５ａ〜５５ｃが形成されており、各貫通孔５５ａ〜５５ｃの一方の長辺（図４（ｃ）において左側の長辺）に沿うように、支柱５０の両側（図４（ｂ）において、左右両側）に突出するフランジ部５７が形成されている。
【００２９】
貫通孔５５ａ〜５５ｃは、横板部６０の板材Ｗが嵌まる孔であり、最も外側（図４（ａ）、（ｂ）において最も左側）に位置する支柱５０の各貫通孔５５ａ〜５５ｃには板材Ｗが貫通して固定され、他の支柱５０の各貫通孔５５ａ〜５５ｃには２枚の板材Ｗが左右方向から嵌まり込み、支柱５０によって左右方向の２枚の板材Ｗが連結するように構成されている。つまり、本実施形態においては、最も外側（図４（ａ）、（ｂ）において最も左側）に位置する支柱５０の各貫通孔５５ａ〜５５ｃを通る板材Ｗは、他の板材Ｗよりも僅かに長く、最も外側に位置する支柱５０からは板材Ｗの端部が突出している。そして、各貫通孔５５ａ〜５５ｃに嵌まった板材Ｗは、フランジ部５７に形成された貫通孔（不図示）を通って挿通される木ビス６２（図４において不図示）によって固定されるようになっている。
【００３０】
図５は、貫通孔５５ａ〜５５ｃと板材Ｗとの位置関係を説明する、貫通孔５５ａ〜５５ｃ周辺の断面図である。上述したように、本実施形態の板材Ｗは、支柱５０の貫通孔５５ａ〜５５ｃに左右方向から嵌まり込み、フランジ部５７の貫通孔を通って挿通される木ビス６２によって固定されるが、各貫通孔５５ａ〜５５ｃの断面形状を、各板材Ｗの断面形状と略等しくすると、各板材Ｗを貫通孔５５ａ〜５５ｃに嵌め込むときの接触面積が大きくなるため、貫通孔５５ａ〜５５ｃに嵌めるのが困難になるといった問題がある。また、各板材Ｗと貫通孔５５ａ〜５５ｃとの隙間が少ないと、この部分の板材Ｗに雨水等が染み込んだときに、乾燥しにくく、板材Ｗが腐り易くなるといった問題も発生する。そこで、かかる問題を解決するため、本実施形態においては、各貫通孔５５ａ〜５５ｃの内部に、３〜４５°の角度のテーパー部Ｔを設け、各貫通孔５５ａ〜５５ｃの断面が、略中央部（内側）において狭く、外側に向かって拡がるように構成している。つまり、このような構成によれば、各板材Ｗを貫通孔５５ａ〜５５ｃに嵌め込むときの接触面積が小さくなるため、各板材Ｗを貫通孔５５ａ〜５５ｃに嵌め易くなる（つまり、組み立て作業が容易になる）。また、各貫通孔５５ａ〜５５ｃが外側に向かって拡がっているため、通気性がよく、この部分の板材Ｗに雨水等が染み込んだとしても、板材Ｗが腐りにくい。
【００３１】
このように、本実施形態のフェンス２においては、複数の支柱５０の貫通孔５５ａ〜５５ｃに板材Ｗを嵌め込んで固定することで、各板材Ｗを支柱５０間に架け渡している。このような構成によれば、一種類の支柱５０のみ製造すればよい。また、支柱５０によって２つの板材Ｗを連結する構成であるため、支柱５０の数及び板材Ｗの長さを調整することによって、様々な長さのフェンス２を構築することができる（つまり、設計変更が容易となる）。また、第１の実施形態のベンチ１と同様、貫通孔５５ａ〜５５ｃの位置を大幅に変更しない範囲で、支柱５０に様々なデザインを施すことも可能である（つまり、デザインの自由度が高い）。
【００３２】
（第３の実施形態）
図６は、本発明の第３の実施形態に係るデッキ３（屋外構造物）の構成を示す斜視図である。図６に示すように、本実施形態のデッキ３は、所定の間隔をおいて二次元に配置された複数の支柱７０と、支柱７０間に架設された複数の大引き８０と、大引き８０間に架設された複数の根太８５と、根太８５の上に架設されたデッキ材９０等から構成されている。なお、本実施形態においては、大引き８０の延設方向（長手方向）をＸ軸方向とし、根太８５の延設方向（長手方向）をＹ軸方向とし、支柱７０の延設方向（長手方向）をＺ軸方向として以下説明する。なお、図６においては、説明の便宜のため、デッキ材９０を一部省略して示しているが、実際には、支柱７０、大引き８０及び根太８５を完全に覆うようにデッキ材９０が架設されている。
【００３３】
支柱７０は、金属製の鋳物で形成された、例えば、長さ：３５０ｍｍ、幅：９０ｍｍ、厚さ：３５ｍｍの柱状の部材であり、支柱７０の下端部は、地中に構築された基礎Ｂにアンカーボルト（不図示）などで固定されている。各支柱７０の先端部には、大引き８０が貫通する矩形状の貫通孔７５が形成されており、各貫通孔７５の下側の一辺に沿うように、支柱７０の両側（Ｘ軸方向の正側及び負側）に突出するフランジ部７７が形成されている。なお、本実施形態の支柱７０は、Ｘ軸方向に所定の間隔（例えば、８７６．５ｍｍ）をおいてＮ個（Ｎは２以上の整数）並び、またＹ軸方向に所定の間隔（例えば、８７６．５ｍｍ）をおいてＭ列（Ｍは２以上の整数）に並んで配置されている。
【００３４】
貫通孔７５は、大引き８０が貫通する孔であり、貫通孔７５に大引き８０が挿通され、各大引き８０がフランジ部７７に形成された貫通孔（不図示）を通って挿通される木ビス８２（図６において不図示）によって固定されるようになっている。
【００３５】
大引き８０は、Ｘ軸方向に並ぶＮ個の支柱７０の貫通孔７５に挿通される木製の板材（例えば、長さ：９００ｍｍ、幅：１２０ｍｍ、厚さ：６０ｍｍ）である。なお、本実施形態においては、Ｙ軸方向に所定の間隔をおいて並ぶＭ列の支柱７０に対応して、Ｍ本の大引き８０が使用されている。
【００３６】
根太８５は、Ｍ本の大引き８０間に架け渡される木製の板材（例えば、長さ：８７６ｍｍ、幅：６０ｍｍ、厚さ：４０ｍｍ）である。本実施形態の根太８５は、Ｙ軸方向に沿って１列に並び、Ｘ軸方向において所定の間隔をおいて架設されており、各根太８５は、木ビス８６によって各大引き８０上に固定されている。
【００３７】
デッキ材９０は、根太８５上に架け渡される木製の板材（例えば、長さ：１８００ｍｍ、幅：１４５ｍｍ、厚さ：４５ｍｍ）である。本実施形態のデッキ材９０は、Ｙ軸方向に密接して並び、各デッキ材９０は、木ビス９１によって各根太８５上に固定されている。全てのデッキ材９０が根太８５上に取り付けられると、デッキ材９０によって、支柱７０、大引き８０及び根太８５が完全に覆われた状態となる。
【００３８】
図７は、貫通孔７５と大引き８０との位置関係を説明する、貫通孔７５周辺の断面図である。上述したように、本実施形態の大引き８０は、支柱７０の貫通孔７５に挿通され、フランジ部７７の貫通孔を通って挿通される木ビス８２によって固定されるが、各貫通孔７５の断面形状を、大引き８０の断面形状と略等しくすると、大引き８０を貫通孔７５に挿通するときの接触面積が大きくなるため、貫通孔７５に嵌めるのが困難になるといった問題がある。また、各大引き８０と貫通孔７５との隙間が少ないと、この部分の大引き８０に雨水等が染み込んだときに、乾燥しにくく、大引き８０が腐り易くなるといった問題も発生する。そこで、かかる問題を解決するため、本実施形態においては、各貫通孔７５の内部に、３〜４５°の角度のテーパー部Ｔを設け、各貫通孔７５の断面が、略中央部（内側）において狭く、外側に向かって拡がるように構成している。つまり、このような構成によれば、各大引き８０を貫通孔７５に嵌め込むときの接触面積が小さくなるため、各大引き８０を貫通孔７５に嵌め易くなる（つまり、組み立て作業が容易になる）。また、各貫通孔７５が外側に向かって拡がっているため、通気性がよく、この部分の大引き８０に雨水等が染み込んだとしても、大引き８０が腐りにくい。
【００３９】
このように、本実施形態のデッキ３においては、複数の支柱７０の貫通孔７５に大引き８０を挿通して固定することで、各大引き８０を支柱７０間に架け渡している。このような構成によれば、一種類の支柱７０のみ製造すればよい。また、Ｘ軸方向及びＹ軸方向に並ぶ支柱７０の数を増やすことにより、様々なサイズのデッキ３を構築することが可能となる（つまり、設計変更が容易となる）。また、支柱７０は、Ｘ軸方向の両側に突出するフランジ部７７を備えているため、第２の実施形態のフェンス２と同様、支柱７０を間に挟んで２つの大引き８０を中継することができる。また、第２の実施形態のフェンス２と同様、貫通孔７５の位置を大幅に変更しない範囲で、支柱７０に様々なデザインを施すことも可能である（つまり、デザインの自由度が高い）。
【００４０】
なお、本実施形態においては、屋外構造物としてデッキ３の例を説明したが、例えば、同様の構造を有する木道等、他の用途にも適用することができる。
【００４１】
また、今回開示された実施の形態は、全ての点で例示であって、制限的なものではないと考えられるべきである。本発明の範囲は、上記した説明ではなく、特許請求の範囲によって示され、特許請求の範囲と均等の意味及び範囲内での全ての変更が含まれることが意図される。
【符号の説明】
【００４２】
１  ベンチ
２  フェンス
３  デッキ
１０  フレーム
１２  ベース
１３、１４  脚部
１５  本体部
１６  延出部
１７ａ、１７ｂ、１７ｃ、１７ｄ、１７ｅ、１７ｆ、１７ｇ、１７ｈ、１７ｉ、１７ｊ、１７ｋ、１７ｌ  貫通孔
１８  フランジ部
１９ａ、１９ｂ、１９ｃ、１９ｄ、１９ｅ、１９ｆ、１９ｇ、１９ｈ、１９ｉ、１９ｊ、１９ｋ、１９ｌ  凹部
２０  座面
３０  背もたれ部
５０  支柱
５５ａ、５５ｂ、５５ｃ  貫通孔
５７  フランジ部
６０  横板部
６２  木ビス
７０  支柱
７５  貫通孔
７７  フランジ部
８０  大引き
８２、８６、９１  木ビス
８５  根太
９０  デッキ材
Ｂ  基礎
Ｔ  テーパー部
Ｗ  板材
【図１】
2020040064.tif 000003
【図２】
2020040064.tif 000004
【図３】
2020040064.tif 000005
【図４】
2020040064.tif 000006
【図５】
2020040064.tif 000007
【図６】
2020040064.tif 000008
【図７】
2020040064.tif 000009
【国際調査報告】
2020040064.tif 000010
2020040064.tif 000011